(57)【要約】【課題】ドアが開いた状態で誤って施錠操作がなされた場合に、ドアを閉じることで解錠がなされる、施錠装置の提供。【解決手段】壁の開口部を開閉するドアを、閉状態で施錠する施錠装置であって、ドアに設けられ、壁に設けられる受け具の施錠穴に差し込まれる施錠位置と、前記施錠穴から抜き出される解錠位置との間でスライドするデッドボルトと、中間位置から前記施錠位置に向けて前記デッドボルトを付勢すると共に、前記中間位置から前記解錠位置に向けて前記デッドボルトを付勢する弾性部材とを有し、前記デッドボルトは、前記デッドボルトのスライド方向に対し傾斜した傾斜面を有し、前記ドアを開状態から閉状態に回動させるとき、前記施錠位置にある前記デッドボルトの前記傾斜面が前記受け具によって押圧されることで、前記デッドボルトが前記施錠位置から前記解錠位置にスライドされる、施錠装置。【選択図】図３
2017115345.tif 000002
【特許請求の範囲】
【請求項１】
壁の開口部を開閉するドアを、閉状態で施錠する施錠装置であって、
ドアに設けられ、壁に設けられる受け具の施錠穴に差し込まれる施錠位置と、前記施錠穴から抜き出される解錠位置との間でスライドするデッドボルトと、
前記施錠位置と前記解錠位置との間の中間位置から前記施錠位置に向けて前記デッドボルトを付勢すると共に、前記中間位置から前記解錠位置に向けて前記デッドボルトを付勢する弾性部材とを有し、
前記デッドボルトは、前記デッドボルトのスライド方向に対し傾斜した傾斜面を有し、
前記ドアを開状態から閉状態に回動させるとき、前記施錠位置にある前記デッドボルトの前記傾斜面が前記受け具によって押圧されることで、前記デッドボルトが前記施錠位置から前記解錠位置にスライドされる、施錠装置。
【請求項２】
前記デッドボルトが前記施錠位置から前記中間位置に向かうにつれ、前記弾性部材の弾性変形量が大きくなり、
且つ、前記デッドボルトが前記解錠位置から前記中間位置に向かうにつれ、前記弾性部材の弾性変形量が大きくなる、請求項１に記載の施錠装置。
【請求項３】
前記デッドボルトのスライド方向に対し垂直方向にスライドするスライドカムをさらに有し、
前記デッドボルトは、前記デッドボルトのスライドを前記スライドカムのスライドに方向変換するカム溝を有し、
前記スライドカムは、スライドすることで、前記弾性部材を弾性変形させる、請求項１または２に記載の施錠装置。
【請求項４】
前記デッドボルトを案内するデッドボルト案内溝と、前記スライドカムを案内するスライドカム案内溝とを有するベースをさらに有する、請求項３に記載の施錠装置。
【請求項５】
前記スライドカム案内溝は、前記スライドカム案内溝の側壁面に、前記スライドカムの案内方向に平行な凸部を有し、
前記スライドカムは、前記凸部が嵌め込まれる凹部を有する、請求項４に記載の施錠装置。
【請求項６】
前記スライドカム案内溝は、前記スライドカム案内溝の側壁面に、前記スライドカムの案内方向に平行な凹部を有し、
前記スライドカムは、前記凹部に嵌め込まれる凸部を有する、請求項４に記載の施錠装置。
【請求項７】
前記デッドボルトをスライドさせる操作スイッチをさらに有する、請求項１〜６のいずれか１項に記載の施錠装置。
【請求項８】
前記操作スイッチは、前記デッドボルトのスライド方向に対し垂直な回動軸を中心に回動し、
前記デッドボルトは、前記操作スイッチの回動運動を前記デッドボルトの直線運動に変換する運動変換部を有する、請求項７に記載の施錠装置。
【請求項９】
前記デッドボルトを覆うカバーをさらに有し、
前記操作スイッチは、前記デッドボルトの位置を示す位置表示部を有する、請求項７または８に記載の施錠装置。
【発明の詳細な説明】
【技術分野】
【０００１】
本発明は、施錠装置に関する。
【背景技術】
【０００２】
特許文献１に記載のドア錠は、ドアの内壁面に水平に取付けられ、ワンタッチ操作で施錠と解錠とを行う。ドアが閉じた状態で、ドアのデッドプレートが受け金具の受孔に係脱することで、施錠および解錠が行われる。
【先行技術文献】
【特許文献】
【０００３】
【特許文献１】特開２００１−１０７６２２号公報
【発明の概要】
【発明が解決しようとする課題】
【０００４】
ドアが開いた状態で、誤って施錠操作がなされることがある。この施錠操作によって、デッドプレートがドアから突出する。その後、ドアを閉めようとすると、デッドプレートが受け金具にぶつかり、ドアが閉まらなかった。また、デッドプレートや受け金具が破損することがあった。
【０００５】
本発明は、上記課題に鑑みてなされたものであって、ドアが開いた状態で誤って施錠操作がなされた場合に、ドアを閉じることで解錠がなされる、施錠装置の提供を主な目的とする。
【課題を解決するための手段】
【０００６】
上記課題を解決するため、本発明の一態様によれば、
壁の開口部を開閉するドアを、閉状態で施錠する施錠装置であって、
ドアに設けられ、壁に設けられる受け具の施錠穴に差し込まれる施錠位置と、前記施錠穴から抜き出される解錠位置との間でスライドするデッドボルトと、
前記施錠位置と前記解錠位置との間の中間位置から前記施錠位置に向けて前記デッドボルトを付勢すると共に、前記中間位置から前記解錠位置に向けて前記デッドボルトを付勢する弾性部材とを有し、
前記デッドボルトは、前記デッドボルトのスライド方向に対し傾斜した傾斜面を有し、
前記ドアを開状態から閉状態に回動させるとき、前記施錠位置にある前記デッドボルトの前記傾斜面が前記受け具によって押圧されることで、前記デッドボルトが前記施錠位置から前記解錠位置にスライドされる、施錠装置が提供される。
【発明の効果】
【０００７】
本発明の一態様によれば、ドアが開いた状態で誤って施錠操作がなされた場合に、ドアを閉じることで解錠がなされる、施錠装置が提供される。
【図面の簡単な説明】
【０００８】
【図１】一実施形態による施錠装置および施錠装置が取付けられるドアを示す斜視図である。
【図２】一実施形態による施錠装置を示す斜視図である。
【図３】一実施形態による施錠装置を分解して示す斜視図である。
【図４】一実施形態による施錠装置の施錠時の状態を示す断面図である。
【図５】一実施形態による施錠装置の解錠時の状態を示す断面図である。
【図６】一実施形態によるデッドボルトの施錠位置を示す断面図である。
【図７】一実施形態によるデッドボルトの中間位置を示す断面図である。
【図８】一実施形態によるデッドボルトの解錠位置を示す断面図である。
【図９】一実施形態によるスライドカムとスライドカム案内溝とを示す断面図である。
【図１０】図１のドアの閉動作を示す断面図である。
【図１１】図１０に続いてドアの閉動作を示す断面図である。
【図１２】図１１に続いてドアの閉動作を示す断面図である。
【発明を実施するための形態】
【０００９】
以下、本発明を実施するための形態について図面を参照して説明するが、各図面において、同一の又は対応する構成については同一の又は対応する符号を付して説明を省略する。各図面において、Ｘ方向、Ｙ方向、Ｚ方向は互いに垂直な方向である。Ｘ方向は、ドアに取付けられるデッドボルトのスライド方向である。Ｙ方向は、ドアに対し垂直な方向である。Ｚ方向は、ドアの回動軸方向である。
【００１０】
図１は、一実施形態による施錠装置および施錠装置によって施錠するドアを示す斜視図である。施錠装置１０は、壁２の開口部を開閉するドア４を閉状態で施錠する。ドア４は、ヒンジ６の回動軸を中心に回動され、壁２の開口部を開閉する。壁２の開口部は、人の出入口であって、例えば、建物の出入口、建物内部の部屋の出入口、乗り物の出入口、乗り物内部の部屋の出入口などである。ドア４には、ドア４の開閉操作に用いる操作ハンドル８などが取付けられる。操作ハンドル８は、施錠装置１０の操作には用いられない。
【００１１】
図２は、一実施形態による施錠装置を示す斜視図である。図３は、一実施形態による施錠装置を分解して示す斜視図である。施錠装置１０は、受け具２０と、錠本体３０とを有する。
【００１２】
受け具２０は、図１に示す壁２に設けられる。受け具２０は、壁２とは別に設けられるが、壁２の一部として設けられてもよく、その場合、受け具２０は施錠装置１０に含まれなくてよい。受け具２０は、図３に示すように施錠穴２１を有する。
【００１３】
錠本体３０は、図１に示すドア４に設けられる。錠本体３０は、図２および図３に示すように、例えばケース４０と、デッドボルト５０と、圧縮ばね６０と、スライドカム７０と、操作スイッチ８０とを有する。
【００１４】
ケース４０は、ドア４に取り付けられる。ケース４０は、例えば、デッドボルト５０と、圧縮ばね６０と、スライドカム７０と、操作スイッチ８０とを支持する。デッドボルト５０はＸ方向にスライド自在に支持され、圧縮ばね６０はＺ方向に弾性変形自在に支持され、スライドカム７０はＺ方向にスライド自在に支持され、操作スイッチ８０はＺ軸回りに回動自在に支持される。ケース４０は、ベース４１と、カバー４２とを有する。
【００１５】
ベース４１は、ドア４に取付けられる。ベース４１は、図３に示すように、例えばデッドボルト案内溝４３と、スライドカム案内溝４５と、圧縮ばね保持溝４７とを有する。
【００１６】
デッドボルト案内溝４３は、デッドボルト５０をＸ方向に案内する。デッドボルト５０は、ケース４０からＸ方向に突出することで、受け具２０の施錠穴２１に差し込まれる。
【００１７】
スライドカム案内溝４５は、スライドカム７０をＺ方向に案内する。スライドカム案内溝４５は、例えばデッドボルト案内溝４３の底壁面に形成される。
【００１８】
圧縮ばね保持溝４７は、圧縮ばね６０をＺ方向に弾性変形自在に保持する。圧縮ばね保持溝４７は、例えばデッドボルト案内溝４３の側壁面に形成される。
【００１９】
カバー４２は、ベース４１に取付けられ、デッドボルト５０などを覆う。カバー４２には操作穴４９が形成され、操作穴４９から操作スイッチ８０が突出する。操作者が操作スイッチ８０を操作することで、デッドボルト５０がスライドする。
【００２０】
操作スイッチ８０は、例えばロッカスイッチであって、回動軸８３を中心に回動する。回動軸８３の軸方向は、例えばＺ方向である。操作スイッチ８０は、施錠ボタン８１と、解錠ボタン８２とを有する。施錠ボタン８１は施錠に用いられ、解錠ボタン８２は解錠に用いられる。
【００２１】
尚、操作スイッチ８０の種類は、ロッカスイッチに限定されず、例えばスライドスイッチ、押しボタンスイッチ、トグルスイッチなどでもよい。
【００２２】
ドア４が閉状態のときは、ドア４の内側（ドア４を挟んだ両側のうち錠本体３０側）にいる操作者のみが操作スイッチ８０を操作できる。ドア４が閉状態のとき、ドア４の外側からは操作スイッチ８０を操作できない。
【００２３】
尚、操作スイッチ８０はなくてもよく、操作者はデッドボルト５０を掴んで操作してもよい。この場合も、ドア４が閉状態のときは、ドア４の内側にいる操作者のみがデッドボルト５０を掴んで操作できる。
【００２４】
図４は、一実施形態による施錠装置の施錠時の状態を示す断面図である。図５は、一実施形態による施錠装置の解錠時の状態を示す断面図である。
【００２５】
デッドボルト５０は、施錠位置（図４参照）と、解錠位置（図５参照）との間でＸ方向にスライドする。施錠位置は、デッドボルト５０が施錠穴２１に差し込まれる位置である。解錠位置は、デッドボルト５０が施錠穴２１から抜き出される位置である。
【００２６】
図４に示すように、ドア４が閉状態で、デッドボルト５０が施錠穴２１に差し込まれることで、施錠がなされる。図５に示すように、ドア４が閉状態で、デッドボルト５０が施錠穴２１から抜き出されることで、解錠がなされる。
【００２７】
デッドボルト５０は、操作スイッチ８０の回動運動をデッドボルト５０の直線運動に変換する運動変換部５１を有する。運動変換部５１は、例えば図４および図５に示すようにＺ方向視で等脚台形状に形成され、等脚台形の一方の脚に第１運動変換部５１Ａを有し、等脚台形の他方の脚に第２運動変換部５１Ｂを有する。
【００２８】
第１運動変換部５１Ａは、施錠ボタン８１が押されたときの操作スイッチ８０の回動運動を、解錠位置から施錠位置に向かうデッドボルト５０の直線運動に変換する。第１運動変換部５１Ａは、例えば施錠方向（図４、図５において左方向）に向かうにつれカバー４２の操作穴４９に近づく傾斜面で構成される。
【００２９】
第２運動変換部５１Ｂは、解錠ボタン８２が押されたときの操作スイッチ８０の回動運動を、施錠位置から解錠位置に向かうデッドボルト５０の直線運動に変換する。第２運動変換部５１Ｂは、例えば解錠方向（図４、図５において右方向）に向かうにつれカバー４２の操作穴４９に近づく傾斜面で構成される。
【００３０】
操作スイッチ８０は、デッドボルト５０の現在位置を示す位置表示部８５を有する。位置表示部８５は、色、文字、およびマークなどのうちの少なくとも１つを有し、操作者の注意を喚起する。位置表示部８５は、シールまたはＬＥＤなどで構成される。操作者は、位置表示部８５を見ることで、デッドボルト５０の現在位置を知ることができる。
【００３１】
例えば位置表示部８５は、解錠時にカバー４２に隠れ、施錠時にカバー４２から現れることで、デッドボルト５０の現在位置が施錠位置であることを示す。この位置表示部８５は、例えば解錠ボタン８２の側面に設けられ、解錠ボタン８２が押されたときにカバー４２に隠れ、施錠ボタン８１が押されたときにカバー４２から現れる。
【００３２】
尚、位置表示部８５は、施錠時にカバー４２に隠れ、解錠時にカバー４２から現れることで、デッドボルト５０の現在位置が解錠位置であることを示してもよい。この位置表示部８５は、例えば施錠ボタン８１の側面に設けられ、施錠ボタン８１が押されたときにカバー４２に隠れ、解錠ボタン８２が押されたときにカバー４２から現れる。デッドボルト５０の現在位置が施錠位置であることを示す位置表示部と、デッドボルト５０の現在位置が解錠位置であることを示す位置表示部の両方が設けられてもよい。
【００３３】
図６は、一実施形態によるデッドボルトの施錠位置を示す断面図である。図７は、一実施形態によるデッドボルトの中間位置を示す断面図である。図８は、一実施形態によるデッドボルトの解錠位置を示す断面図である。
【００３４】
圧縮ばね６０は、中間位置から施錠位置に向けてデッドボルト５０を付勢すると共に、中間位置から解錠位置に向けてデッドボルト５０を付勢する。中間位置とは、施錠位置と解錠位置との間の位置である。尚、中間位置は、Ｘ方向にある程度の長さを有してもよい。
【００３５】
デッドボルト５０が施錠位置（図６参照）から中間位置（図７参照）に向かうにつれ、圧縮ばね６０の弾性変形量が大きくなり、且つ、デッドボルト５０が解錠位置（図８参照）から中間位置（図７参照）に向かうにつれ、圧縮ばね６０の弾性変形量が大きくなる。圧縮ばね６０は、その弾性復元力によって、中間位置から施錠位置に向けてデッドボルト５０を付勢すると共に、中間位置から解錠位置に向けてデッドボルト５０を付勢する。
【００３６】
デッドボルト５０は、デッドボルト５０のＸ方向のスライドをスライドカム７０のＺ方向のスライドに方向変換するカム溝５２を有する。カム溝５２のＸ方向中央部は、カム溝５２のＸ方向両端部よりも、Ｚ方向片側（より詳細には、圧縮ばね６０を圧縮させる方向）に突出する。
【００３７】
スライドカム７０は、Ｚ方向にスライドすることで、圧縮ばね６０をＺ方向に弾性変形させる。圧縮ばね６０は、その弾性復元力によって、中間位置から施錠位置に向けてデッドボルト５０を付勢すると共に、中間位置から解錠位置に向けてデッドボルト５０を付勢する。
【００３８】
尚、本実施形態では弾性部材として圧縮ばね６０が用いられるが、圧縮ばね６０の代わりに、引張ばね、ねじりばね等が用いられてもよく、弾性部材の種類は特に限定されない。弾性部材は、中間位置から施錠位置に向けてデッドボルト５０を付勢すると共に、中間位置から解錠位置に向けてデッドボルト５０を付勢するものであればよい。
【００３９】
図９は、一実施形態によるスライドカムとスライドカム案内溝とを示す断面図である。
【００４０】
スライドカム案内溝４５は、その側壁面に、スライドカム７０の案内方向（図９において紙面垂直方向）に平行な凸部４６を有する。凸部４６は、図９ではＸ方向両側（図９において左右両側）の側壁面にそれぞれ設けられているが、Ｘ方向片側の側壁面にのみ設けられてもよい。
【００４１】
一方、スライドカム７０は、凸部４６が嵌め込まれる凹部７１を有する。図９では複数の凸部４６に対応して複数の凹部７１が設けられているが、凸部４６の数が１つの場合、凹部７１の数も１つでよい。
【００４２】
スライドカム案内溝４５の凸部４６と、スライドカム７０の凹部７１とは、嵌合することで、スライドカム７０に対する圧縮ばね６０の弾性復元力の作用方向を安定化し、スライドカム７０の姿勢を安定化できる。
【００４３】
尚、凸部と凹部の配置は逆でもよい。つまり、スライドカム案内溝４５は、その側壁面に、スライドカム７０の案内方向に平行な凹部を有してもよい。この場合、スライドカム７０は、凹部に嵌め込まれる凸部を有する。スライドカム７０の姿勢を安定化できる。
【００４４】
凸部４６は、スライドカム案内溝４５の側壁面に形成される場合、スライドカム案内溝４５の長手方向全体に亘って形成されていなくてよい。デッドボルト５０が施錠位置と解錠位置との間で移動する時のスライドカム７０の移動範囲に、凸部４６が形成されていればよい。
【００４５】
凸部４６が形成されていない範囲（図６〜図８においてスライドカム案内溝４５の下部）で、スライドカム案内溝４５にスライドカム７０が置かれる。その後、スライドカム７０が案内方向にスライドされることで、凸部４６と凹部７１とが嵌合される。施錠装置１０の組立作業性が良い。
【００４６】
図１０は、図１のドアの閉動作を示す断面図である。図１１は、図１０に続いてドアの閉動作を示す断面図である。図１２は、図１１に続いてドアの閉動作を示す断面図である。
【００４７】
図１０に示すように、ドア４が開状態で、操作者が誤って施錠ボタン８１を押し、デッドボルト５０が解錠位置から施錠位置にスライドされることがある。このとき、位置表示部８５が、デッドボルト５０の現在位置が施錠位置であることを示す。これにより、操作者の注意を喚起できる。
【００４８】
操作者が、位置表示部８５の表示に気付かずに、ドア４を開状態から閉状態に回動させようとすることがある。この場合、図１１に示すように施錠位置にあるデッドボルト５０の傾斜面５３が受け具２０によって押圧される。
【００４９】
デッドボルト５０の傾斜面５３は、デッドボルト５０のスライド方向（Ｘ方向）に対し傾斜しており、受け具２０による押圧力のＸ方向分力によって、デッドボルト５０を施錠位置からスライドさせ、少なくとも中間位置を越えさせる（図１２参照）。デッドボルト５０が中間位置を越えると、圧縮ばね６０の弾性復元力によってデッドボルト５０が解錠位置に移動する。よって、ドア４を閉めることができ、デッドボルト５０や受け具２０の破損を抑制することができる。また、デッドボルト５０が中間位置から解錠位置に向けて付勢されているので、ドア４の内側に別の操作者が存在しない限り、デッドボルト５０は解除位置から施錠位置に戻らない。つまり、ドア４の内側に誰もいない状態で、デッドボルト５０が解錠位置から施錠位置に戻ることがなく、人間がドア４の外側に締め出されることを防止できる。
【００５０】
以上、施錠装置の実施形態等について説明したが、本発明は上記実施形態等に限定されるものではなく、特許請求の範囲に記載された本発明の要旨の範囲内において、種々の変形、改良が可能である。
【符号の説明】
【００５１】
２    壁
４    ドア
６    ヒンジ
８    操作ハンドル
１０  施錠装置
２０  受け具
２１  施錠穴
３０  錠本体
４０  ケース
４１  ベース
４２  カバー
４３  デッドボルト案内溝
４５  スライドカム案内溝
４６  凸部
４７  圧縮ばね保持溝
５０  デッドボルト
５１  運動変換部
５１Ａ  第１運動変換部
５１Ｂ  第２運動変換部
５２  カム溝
６０  圧縮ばね
７０  スライドカム
７１  凹部
８０  操作スイッチ
８１  施錠ボタン
８２  解錠ボタン
８３  回動軸
８５  位置表示部
【図１】
2017115345.tif 000003
【図２】
2017115345.tif 000004
【図３】
2017115345.tif 000005
【図４】
2017115345.tif 000006
【図５】
2017115345.tif 000007
【図６】
2017115345.tif 000008
【図７】
2017115345.tif 000009
【図８】
2017115345.tif 000010
【図９】
2017115345.tif 000011
【図１０】
2017115345.tif 000012
【図１１】
2017115345.tif 000013
【図１２】
2017115345.tif 000014
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
壁の開口部を開閉するドアを、閉状態で施錠する施錠装置であって、
ドアに設けられ、壁に設けられる受け具の施錠穴に差し込まれる施錠位置と、前記施錠穴から抜き出される解錠位置との間でスライドするデッドボルトと、
前記施錠位置と前記解錠位置との間の中間位置から前記施錠位置に向けて前記施錠位置にある前記デッドボルトを付勢すると共に、前記中間位置から前記解錠位置に向けて前記解錠位置にある前記デッドボルトを付勢する弾性部材とを有し、
前記デッドボルトは、前記デッドボルトのスライド方向に対し傾斜した傾斜面を有し、
前記ドアを開状態から閉状態に回動させるとき、前記施錠位置にある前記デッドボルトの前記傾斜面が前記受け具によって押圧されることで、前記デッドボルトが前記施錠位置から前記解錠位置にスライドされる、施錠装置。
【請求項２】
前記デッドボルトが前記施錠位置から前記中間位置に向かうにつれ、前記弾性部材の弾性変形量が大きくなり、
且つ、前記デッドボルトが前記解錠位置から前記中間位置に向かうにつれ、前記弾性部材の弾性変形量が大きくなる、請求項１に記載の施錠装置。
【請求項３】
前記デッドボルトのスライド方向に対し垂直方向にスライドするスライドカムをさらに有し、
前記デッドボルトは、前記デッドボルトのスライドを前記スライドカムのスライドに方向変換するカム溝を有し、
前記スライドカムは、スライドすることで、前記弾性部材を弾性変形させる、請求項１または２に記載の施錠装置。
【請求項４】
前記デッドボルトを案内するデッドボルト案内溝と、前記スライドカムを案内するスライドカム案内溝とを有するベースをさらに有する、請求項３に記載の施錠装置。
【請求項５】
前記スライドカム案内溝は、前記スライドカム案内溝の側壁面に、前記スライドカムの案内方向に平行な凸部を有し、
前記スライドカムは、前記凸部が嵌め込まれる凹部を有する、請求項４に記載の施錠装置。
【請求項６】
前記スライドカム案内溝は、前記スライドカム案内溝の側壁面に、前記スライドカムの案内方向に平行な凹部を有し、
前記スライドカムは、前記凹部に嵌め込まれる凸部を有する、請求項４に記載の施錠装置。
【請求項７】
前記デッドボルトをスライドさせる操作スイッチをさらに有する、請求項１〜６のいずれか１項に記載の施錠装置。
【請求項８】
前記操作スイッチは、前記デッドボルトのスライド方向に対し垂直な回動軸を中心に回動し、
前記デッドボルトは、前記操作スイッチの回動運動を前記デッドボルトの直線運動に変換する運動変換部を有する、請求項７に記載の施錠装置。
【請求項９】
前記デッドボルトを覆うカバーをさらに有し、
前記操作スイッチは、前記デッドボルトの位置を示す位置表示部を有する、請求項７または８に記載の施錠装置。
【手続補正２】
【補正対象書類名】明細書
【補正対象項目名】０００６
【補正方法】変更
【補正の内容】
【０００６】
上記課題を解決するため、本発明の一態様によれば、
壁の開口部を開閉するドアを、閉状態で施錠する施錠装置であって、
ドアに設けられ、壁に設けられる受け具の施錠穴に差し込まれる施錠位置と、前記施錠穴から抜き出される解錠位置との間でスライドするデッドボルトと、
前記施錠位置と前記解錠位置との間の中間位置から前記施錠位置に向けて前記施錠位置にある前記デッドボルトを付勢すると共に、前記中間位置から前記解錠位置に向けて前記解錠位置にある前記デッドボルトを付勢する弾性部材とを有し、
前記デッドボルトは、前記デッドボルトのスライド方向に対し傾斜した傾斜面を有し、
前記ドアを開状態から閉状態に回動させるとき、前記施錠位置にある前記デッドボルトの前記傾斜面が前記受け具によって押圧されることで、前記デッドボルトが前記施錠位置から前記解錠位置にスライドされる、施錠装置が提供される。